(57)【要約】【課題】  装置本体を大型化することなく、マイクロホンおよび発光体の防水防塵をすることができる電子機器を提供する。【解決手段】  本発明の電子機器は、開口部１２２が形成された筐体と、前記筐体の内部に配置され、前記開口部より集音するマイクロホン３５０と、前記筐体の内部に配置され、前記開口部より発光する発光体３６０と、前記開口部１２２を塞ぐ緩衝部材３００と、を備え、前記緩衝部材３００は、ベース部３７０と、前記マイクロホンに対向する第１部分３３０と、前記発光体に対向する第２部分３４０と、を有し、前記第１部分３３０は、前記ベース部３７０から切りかかれた部分であり、前記第２部分３４０は、前記ベース部３７０から突出した部分であることを特徴とする。【選択図】  図３
2018196109.tif 000002
【特許請求の範囲】
【請求項１】
開口部が形成された筐体と、
前記筐体の内部に配置され、前記開口部より集音するマイクロホンと、
前記筐体の内部に配置され、前記開口部より発光する発光体と、
前記開口部を塞ぐ第１部材と、を備え、
前記第１部材は、ベース部と、前記マイクロホンに対向する第１部分と、前記発光体に対向する第２部分と、を有し、
前記第１部分は、前記ベース部から切りかかれた部分であり、
前記第２部分は、前記ベース部から突出した部分であることを特徴とする、電子機器。
【請求項２】
前記第１部分の厚みをｔ１、前記第２部分の厚みをｔ２、前記ベース部の厚みをｔ３とした時、ｔ１≦ｔ２＜ｔ３の関係が成り立つことを特徴とする、請求項１に記載の電子機器。
【請求項３】
前記第２部分は、略半球状に形成されており、前記筐体の外側に向かうにつれて厚みが増加することを特徴とする、請求項１または２に記載の電子機器。
【請求項４】
前記第１部分の内側または前記第２部分の内側のいずれかにおいて、少なくとも１つの補強リブが形成されている、請求項１から３のいずれか一項に記載の電子機器。
【請求項５】
前記基板を保持する基板保持部材を備え、
前記基板保持部材は、前記マイクロホンと前記発光体の間に配置される遮光壁を有する、請求項１から４のいずれか一項に記載の電子機器。
【請求項６】
前記第１部材は、前記第１部分と前記第２部分との間に前記遮光壁が配置されるスリットが形成されていることを特徴とする、請求項５に記載の電子機器。
【請求項７】
前記マイクロホンと前記発光体は前記基板の同一面に配置されていることを特徴とする、請求項１から６のいずれか一項に記載の電子機器。
【請求項８】
前記マイクロホンと前記発光体は、前記基板において、前記第１部材と反対側に配置されていることを特徴とする、請求項１から７のいずれか一項に記載の電子機器。
【請求項９】
前記開口部は、前記マイクロホンに対応する音孔と、前記発光体に対応する発光穴からなることを特徴とする、請求項１から８のいずれか一項に記載の電子機器。
【請求項１０】
前記筐体は、映像を撮影するためのレンズと、撮像素子と、を有することを特徴とする、請求項１から９のいずれか一項に記載の電子機器。
【請求項１１】
開口部が形成された筐体と、
前記開口部より集音するマイクロホンと、
前記開口部より発光する発光体と、
前記マイクロホンおよび前記発光体と電気的に接続される基板と、
前記筐体と前記基板の間に配置され、前記開口部を塞ぐ第１部材と、を備え、
前記第１部材は、前記マイクロホンに対向する第１部分と、前記発光体に対向する第２部分と、第３部分と、を有し、
前記第１部分の厚さ、前記第２部分の厚さおよび前記第３部分の厚さは、それぞれ異なることを特徴とする、電子機器。
【請求項１２】
前記第３部分は、平板状の部分であり、前記第２部分は、前記第３部分から突出した部分であり、前記第２部分は、前記第３部分を切り欠いた部分であることを特徴とする、請求項１１に記載の電子機器。
【請求項１３】
前記第１部分の厚みをｔ１、前記第２部分の厚みをｔ２、前記第３部分の厚みをｔ３とした時、ｔ１≦ｔ２＜ｔ３の関係が成り立つことを特徴とする、請求項１１または１２に記載の電子機器。
【請求項１４】
前記第２部分は、略半球状に形成されており、前記筐体の外側に向かうにつれて厚みが増加することを特徴とする、請求項１１から１３のいずれか一項に記載の電子機器。
【請求項１５】
前記第１部分の内側または前記第２部分の内側のいずれかにおいて、少なくとも１つの補強リブが形成されている、請求項１１から１４のいずれか一項に記載の電子機器。
【請求項１６】
前記基板を保持する基板保持部材を備え、
前記基板保持部材は、前記マイクロホンと前記発光体の間に配置される遮光壁を有する、請求項１１から１５のいずれか一項に記載の電子機器。
【請求項１７】
前記第１部材は、前記第１部分と前記第２部分との間に前記遮光壁が配置されるスリットが形成されていることを特徴とする、請求項１６に記載の電子機器。
【請求項１８】
前記マイクロホンと前記発光体は前記基板の同一面に配置されていることを特徴とする、請求項１から１７のいずれか一項に記載の電子機器。
【請求項１９】
前記マイクロホンと前記発光体は、前記基板において、前記第１部材と反対側に配置されていることを特徴とする、請求項１１から１８のいずれか一項に記載の電子機器。
【請求項２０】
前記開口部は、前記マイクロホンに対応する音孔と、前記発光体に対応する発光穴からなることを特徴とする、請求項１１から１９のいずれか一項に記載の電子機器。
【請求項２１】
前記第１部材は、前記筐体と全周で当接する少なくとも１つの緩衝リブを有する、請求項１１から２０のいずれか一項に記載の電子機器。
【請求項２２】
前記緩衝リブは前記第１部材の外周に沿って形成されていることを特徴とする、請求項２１に記載の電子機器。
【請求項２３】
前記第１部材は、前記マイクロホンを保持するマイクロホン保持部を有する、請求項１１から２２のいずれか一項に記載の電子機器。
【請求項２４】
前記マイクロホン保持部は、略円環状に形成されており、前記マイクロホン保持部の内部に前記マイクロホンと当接する少なくとも１つの支持部を有する、請求項２３に記載の電子機器。
【発明の詳細な説明】
【技術分野】
【０００１】
本発明はマイクロホンと発光体を備える電子機器の防水防塵構造に関する。
【背景技術】
【０００２】
近年、デジタルカメラや監視カメラは、音声を記録するためにマイクロホンを内蔵している。また屋外で使用することを考慮し、マイクロホンの防水防塵構造をとられている場合がある。マイクロホンの防水防塵構造は、例えば、特許文献１のように、通気性のない防水フィルタを用いて筐体の開口部を塞ぐものがある。さらに、マイクロホンへ伝わる振動雑音を防ぐために、専用のマイクロホン保持部材を使用している。
【０００３】
また、カメラの電源状態や録画状態などを示すため、外部に光を照射するための発光部が設けられており、発光部が光の拡散や防水性確保のために透光性を有する専用部材によって覆われているものがある。例えば、特許文献２に記載された発光部は、透光性を有する窓部材を用いて光の拡散を行っている。また、窓部材のフランジ部を筐体に接着して防水防塵性能を保証している。
【先行技術文献】
【特許文献】
【０００４】
【特許文献１】特開２０１４―１４３６７４号公報
【特許文献２】特開２０１５―２１６２１７号公報
【発明の概要】
【発明が解決しようとする課題】
【０００５】
マイクロホンと発光部との両方を備えるデジタルカメラや監視カメラにおいて、上記の特許文献１や特許文献２のような防水防塵構造を適用した場合、それぞれ専用の防水防塵部品を用いるため、部品点数が多くなってしまう。よって、デジタルカメラや監視カメラの装置本体が大型化してしまうという問題があった。
【０００６】
そこで、本発明は、装置本体を大型化することなく、マイクロホンおよび発光体の防水防塵をすることができる電子機器を提供することを目的としている。
【課題を解決するための手段】
【０００７】
本発明の電子機器は、
開口部が形成された筐体と、前記筐体の内部に配置され、前記開口部より集音するマイクロホンと、前記筐体の内部に配置され、前記開口部より発光する発光体と、前記開口部を塞ぐ第１部材と、を備え、前記第１部材は、ベース部と、前記マイクロホンに対向する第１部分と、前記発光体に対向する第２部分と、を有し、前記第１部分は、前記ベース部から切りかかれた部分であり、前記第２部分は、前記ベース部から突出した部分であることを特徴とする。
【発明の効果】
【０００８】
本発明によれば、装置本体を大型化することなく、マイクロホンおよび発光体の防水防塵をすることができる電子機器を提供することができる。
【図面の簡単な説明】
【０００９】
【図１】本発明の第１実施形態に係る監視カメラの外観斜視図。
【図２】本発明の第１実施形態に係る監視カメラの概略構成を示す断面図。
【図３】本発明の第１実施形態に係るマイクロホンおよび発光体周辺の詳細構成を示す断面図。
【図４】本発明の第１実施形態に係る緩衝部材の断面斜視図。
【図５】本発明の第２実施形態に係る監視カメラの外観斜視図。
【図６】本発明の第２実施形態に係るマイクロホンおよび発光体周辺の詳細構成を示す断面図。
【図７】本発明の第２実施形態に係る緩衝部材の全体斜視図。
【図８】本発明の第３実施形態に係る緩衝部材の断面斜視図。
【図９】本発明の第３実施形態に係るマイクロホンおよび発光体周辺の詳細構成を示す断面図。
【発明を実施するための形態】
【００１０】
＜第１実施形態＞
以下、本発明の第１実施形態について、図面を用いて説明する。図１は、本発明の第１実施形態に係る監視カメラの外観斜視図である。図２は、本発明の第１実施形態に係る監視カメラの概略構成を示す断面図である。
【００１１】
電子機器の一例としての監視カメラ１００は、映像の撮影と記録、音声の記録が可能である。監視カメラ１００は、レンズ保護部材１０２と、アッパーケース１２０およびボトムケース１５０とより構成される筐体と、を備えている。
【００１２】
レンズ保護部材１０２は、筐体内部の部品を保護している。レンズ保護部材１０２は、例えば、透明ポリカーボネートで形成される。レンズ保護部材１０２は、図２に示すように、Ｏ−リング１４０を挟み、アッパーケース１２０に固定されている。
【００１３】
アッパーケース１２０には、音声を記録するための開口部１２２が形成されている。開口部１２２は、筐体内部と外部間に、空気、音、光を通す構造になっている。アッパーケース１２０とボトムケース１５０は、それぞれ、例えば金属ダイキャストやポリカーボネートなどの樹脂成形で作製することができる。アッパーケース１２０とボトムケース１５０は、パッキン１８０を挟み、ねじで互いに締結されている。これにより筐体内に水や粉塵が浸入することを防いでいる。パッキン１８０は、例えばシリコンやウレタンフォーム材で形成されている。
【００１４】
筐体内部には、レンズ２０２、撮像素子２０４、センサ基板２０６、カメラ筐体２０８などから構成されるカメラ部２００が収容されている。さらに、筐体内部には、カメラ部保持部材２４０と、基板保持部材１１０と、制御基板２５０と、基板の一例としてのマイク基板２７０と、第１部材の一例としての緩衝部材３００と、マイクロホン３５０と、発光体３６０と、が収容されている。
【００１５】
カメラ部２００は、レンズ保護部材１０２とレンズ２０２を通じて受光した光を撮像素子２０４で電気信号に変換する。撮像素子２０４は、制御基板２５０へワイヤ２３０ａで電気的に接続されており、取得した撮像データを制御基板２５０に伝送する。カメラ部保持部材２４０は、カメラ部２００を保持している。基板保持部材１１０は、マイク基板２７０を保持している。基板保持部材１１０は、例えばポリカーボネートなどの樹脂成形で作製することができる。
【００１６】
制御基板２５０は、電源供給やカメラ制御、ネットワークへの接続など、監視カメラ１００全体の制御機能を担っている。制御基板２５０は、ボトムケース１５０にねじなどの固定部材により固定されている。
【００１７】
マイクロホン３５０は、音を電気信号に変換する音響部品である。マイクロホン３５０は、開口部１２２と緩衝部材３００を通じて音を取得する。マイクロホン３５０は、内部に音圧により振動するメンブレン（不図示）を有し、メンブレンの変位に応じて取得した音を電気信号に変換する。
【００１８】
発光体３６０はＬＥＤなどで構成され、緩衝部材３００を透過し開口部１２２から筐体の外側方向へ照射する。それによりカメラの電源状態や録画状態などをユーザーに示す役割を担っている。
【００１９】
次に、図３を用いて、マイクロホンおよび発光体の周辺構造について説明する。図３は、本発明のマイクロホンおよび発光体周辺の詳細構成を示す断面図である。
【００２０】
図３に示すように、基板保持部材１１０は、略円筒形状の突起１１２ａ、１１２ｂを有している。突起１１２ａ、１１２ｂは、マイク基板２７０に形成された貫通孔および緩衝部材３００に形成された貫通孔に挿通することにより、マイク基板２７０と緩衝部材３００の位置を決めている。また、基板保持部材１１０は、マイクロホン３５０が収容される第１の空間１１４ａと、発光体３６０が収容される第２の空間１１４ｂを有している。
【００２１】
マイク基板２７０は、ねじやテープなどにより基板保持部材１１０上に固定されている、また、緩衝部材３００は、マイク基板２７０とアッパーケース１２０の底面１２４の間に挟持されている。
【００２２】
マイクロホン３５０と発光体３６０は、マイク基板２７０の同一面（緩衝部材３００の反対側の面）に配置されている。そして、マイク基板２７０のマイクロホン３５０が配置されている箇所に、マイク穴２８０が形成されており、発光体３６０が配置されている箇所に、発光体穴２９０が形成されている。またマイク基板２７０はワイヤ２３０ｂなどで制御基板２５０に電気的に接続されている。
【００２３】
次に、緩衝部材３００について詳細に説明する。図４は、緩衝部材３００の断面斜視図である。
【００２４】
緩衝部材３００は、略長方形のシリコンゴムなどの弾性部材であり、筐体内外部からの振動騒音を低減しマイクロホン３５０のＳ／Ｎを向上させている。緩衝部材３００は、筐体とマイク基板２７０の間に配置され、開口部１２２を塞いでいる。また、緩衝部材３００は、第１の面３１０と第２の面３２０を有しており、第１の面３１０は、アッパーケース１２０の底面１２４と当接するように配置される。第１の面３１０は、開口部１２２を全周で塞いでおり、筐体外部からの水や粉塵の浸入を防いでいる。第２の面３２０は、マイク基板２７０と当接するように配置される。
【００２５】
緩衝部材３００は、開口部１２２の範囲外に位置決め用穴３８０ａ、３８０ｂを有しており、基板保持部材１１０の突起１１２ａ、１１２ｂが第２の面３２０側より挿通されることにより位置が決定する。これにより、マイクロホン３５０、発光体３６０の位置と緩衝部材３００の配置ずれを防ぐことができ、適切な集音性能および発光部の視認性を確保することができる。
【００２６】
また、緩衝部材３００は、マイクロホン３５０に対向する第１部分３３０と、発光体３６０に対向する第２部分３４０と、ベース部としての第３部分３７０と、を有している。第３部分３７０は、平板状の部分であり、第２部分３４０は、第３部分３７０から突出した部分であり、第１部分３３０、第３部分３７０を切り欠いた部分である。第１部分３３０の厚みをｔ１、第２部分３４０の厚みをｔ２、第３部分３７０の厚み（基本肉厚）をｔ３とした時、ｔ１≦ｔ２＜ｔ３が成り立つ関係になっている。第１部分３３０は音を伝播するため、最も薄いことが望ましい。第２部分３４０は、光を透過、拡散させるため、第３部分３７０の厚み（基本肉厚）より薄いことが求められる。そして、第３部分３７０は振動騒音を低減させるため、最も厚い構成となっている。
【００２７】
第１部分３３０は、緩衝部材３００の第１の面３１０側に形成されており、開口部１２２より集音された音波振動をマイクロホン３５０に伝播する。また、第１部分３３０は通気性がないため、水や粉塵が通ることはない。
【００２８】
第２部分３４０は、略半球状となっており、緩衝部材３００の第１の面３１０側に形成されている。第２部分３４０は、通気性がないため、水や粉塵を通すことはないが、薄肉であるため透光性をもつ。よって、第２部分３４０は、緩衝部材３００における第２の面３２０側に配置される発光体３６０から発せられる光を拡散する。また、第２部分３４０は、天頂部３４２ａと麓部３４２ｂを有し、麓部３４２ｂから天頂部３４２ａに向かうにつれ、その肉厚が厚くなっている。言い換えると、筐体の外側に向かうにつれて厚みが増加している。
【００２９】
例えば、発光体３６０がＬＥＤで構成される場合、光に直進性があるため天頂部３４２ａ部が強く光り、麓部３４２ｂは弱く光るといったことが考えられる。そのため、光の拡散が不均一になり視認性や外観性能を損なう恐れがある。本実施形態においては、天頂部３４２ａの肉厚は厚いため透光性が低く、麓部３４２ｂの肉厚は薄いため透光性が高くなる。よって光の拡散が均一化され、視認性や外観性能を向上することができる。
【００３０】
また、第２部分３４０は、図４に示すように、補強リブ３４４を有している。補強リブ３４４は、第２部分３４０の内面から内側に向けて突出している。補強リブ３４４は、筐体外からの噴流等により、第２部分３４０が変形することを防いでいる。
【００３１】
以上のように、本発明の第１実施形態によれば、１つの部材でマイクロホン３５０および発光体３６０の防水防塵をすることができる。よって、部品点数を削減することができるため、装置本体を大型化することなく、マイクロホン３５０および発光体３６０の防水防塵をすることができる。また、第２部分３４０は、麓部３４２ｂから天頂部３４２ａに向かうにつれ、その肉厚が厚くなっている。よって、発光体３６０の光を均一に拡散させることができる。
【００３２】
＜第２実施形態＞
以下、本発明の第２実施形態について説明する。本発明の第２実施形態では、上述した本発明の第１実施形態に係る監視カメラと比較して、緩衝部材の形状や基板保持部材の形状が異なる。
【００３３】
以下では主に、本発明の第１実施形態との相違点について説明し、同一な構成の説明は省略する。図５は本発明の第２実施形態に係る監視カメラの外観斜視図である。
【００３４】
監視カメラ４００は、映像の撮影と記録、音声の記録が可能である。監視カメラ４００は、アッパーケース４２０およびボトムケース１５０とより構成される筐体を備えている。
【００３５】
第２実施形態の開口部は、マイクロホン３５０に対応する音孔４２２と、発光体３６０に対応する発光穴４２４とに分かれている。アッパーケース４２０には音声を記録するための音孔４２２と発光穴４２４とが形成されている。アッパーケース４２０に形成された音孔４２２は、筐体内部と外部間に空気や音を通すための穴になっている。発光穴４２４は、筐体内部と外部間に光を通すための穴となっている。アッパーケース４２０は、例えば金属ダイキャストやポリカーボネートなどの樹脂成形で作製することができる。
【００３６】
図６は本発明の第２実施形態に係る監視カメラの詳細構成を示す断面斜視図である。
【００３７】
基板保持部材４１０は、マイクロホン３５０と発光体３６０を隔離するように設けられる遮光壁４１２を有している。遮光壁４１２は略長方形断面をしており、遮光壁４１２の先端は他部品を貫通しやすいよう面取りが形成されている。基板保持部材４１０はポリカーボネートなどの樹脂成形で作製することができ、透光性のほとんどない色で作製することが望ましい。
【００３８】
また、マイク基板４７０の裏面にはマイクロホン３５０と発光体３６０が配置されている。マイク基板４７０には、マイクロホン３５０と発光体３６０間にスリット４７２が形成されている。スリット４７２には、遮光壁４１２が挿通される。また、マイク基板４７０は、基板保持部材４１０にねじやテープなどで固定されている。
【００３９】
次に、緩衝部材５００について詳細に説明する。図７は本発明の第２実施形態に係る緩衝部材の全体斜視図である。緩衝部材５００は略長方形のシリコンゴムなどの弾性部材で形成され、筐体内外部からの振動騒音を低減しマイクロホン３５０のＳ／Ｎを向上させている。また、緩衝部材５００は第１の面５１０と第２の面５２０を有しており、第１の面５１０は音孔部底面４１４と発光穴部底面４１６に当接するように配置される。それにより音孔４２２と発光穴４２４から筐体内部へ水や粉塵の浸入を防いでいる。第２の面５２０はマイク基板４７０と当接するように配置される。
【００４０】
また、緩衝部材５００は第１部分５０４と、第２部分５０６と、第３部分５０８と、を有している。第１部分５０４は、第１の面５１０側に形成されており、音孔４２２より集音された音波振動をマイクロホン３５０に伝播する。第２部分５０６は、第１の面５１０側に形成されており、薄肉部を透過した光が発光穴４２４より照射されることで、ユーザーにカメラの電源や録画状態を知らせる。また、第２部分５０６は、円筒形状であり、発光穴４２４内に配置された際、アッパーケース４２０の外面付近まで位置するような高さに形成されている。また、第１実施形態と同様に、第１部分５０４の厚みをｔ１、第２部分５０６の厚みをｔ２、第３部分５０８の厚み（基本肉厚）をｔ３とした時、ｔ１≦ｔ２＜ｔ３が成り立つ関係になっている。
【００４１】
また、緩衝部材５００は第１部分５０４と第２部分５０６間に遮光壁用スリット５０２を有している。遮光壁用スリット５０２は、矩形状であり、基板保持部材４１０の遮光壁４１２が貫通する。
【００４２】
以上のように、基板保持部材４１０に遮光壁４１２を設けることにより発光体３６０より発せられた光が遮光壁４１２によって遮られ、音孔４２２から光が漏れることを抑制できる。よって、ユーザーの視認性と外観性能を向上することができる。また遮光壁４１２はマイク基板４７０と緩衝部材５００の位置決めをすることもできる。
【００４３】
また、第１実施形態と同様に、１つの部材でマイクロホン３５０および発光体３６０の防水防塵をすることができる。よって、部品点数を削減することができるため、装置本体を大型化することなく、マイクロホン３５０および発光体３６０の防水防塵をすることができる。
【００４４】
＜第３実施形態＞
以下、本発明の第３の実施形態について説明する。本発明の第３の実施形態では、上述した本発明の第１の実施形態に係るマイクロホン保持構造と比較して、緩衝部材や基板保持部材の形状、マイクロホンの保持方法が異なる。
【００４５】
以下では主に、本発明の第１の実施形態との相違点について重点的に説明し、同一な構成の説明は省略する。
【００４６】
図８は本発明の第３の実施形態に係る緩衝部材を示す断面斜視図である。
【００４７】
緩衝部材６００は、略長方形のシリコンゴムなどの弾性部材で形成され、筐体内外部からの振動騒音を低減し集音時のＳ／Ｎを向上する役割を担っている。緩衝部材６００は緩衝リブ６１０ａ、６１０ｂと第１の面６１２、第２の面６１４を有している。緩衝リブ６１０ａ、６１０ｂは、緩衝部材６００の外周に形成されている。また緩衝部材６００は略円環状のマイクロホン保持部６２０を有している。そして円環内部には支持部６３０とアンダーカット部６４０が形成されている。
【００４８】
図９は本発明の第３の実施形態に係るマイクロホンおよび発光体周辺の詳細構成を示す断面図である。
【００４９】
アッパーケース７２０に形成された音孔７２２は、筐体内部と外部間に空気や音を通し、発光穴７２４は筐体内部と外部間に光を通すことができる。発光体基板７７０には発光体３６０が実装されており、基板保持部材７１０にねじなどで固定されている。基板保持部材７１０はガイド壁７１２を有しており、緩衝部材６００の位置を規制している。また基板保持部材７１０はマイクロホン収納部７１４とワイヤ穴７１６を有している。マイクロホン７５０は緩衝部材６００に形成されているマイクロホン保持部６２０に把持されている。そしてワイヤ穴７１６を通るマイクワイヤ７８０により、制御基板（不図示）と電気的に接続されている。
【００５０】
緩衝部材６００は緩衝リブ６１０ａ、６１０ｂを介して他の部材により保持されており、上側緩衝リブ６１０ａはアッパーケース７２０に当接し、下側緩衝リブ６１０ｂは基板保持部材７１０に当接している。そして音孔７２２や発光穴７２４から水などが筐体内部へ侵入することを防いでいる。緩衝リブ６１０ａ、６１０ｂは細いリブで形成されており、先端は略半円形状になっている。そのため、他の部材と線接触に近い形で接触している。そのため、部材同士の接触面積が少なく、また緩衝リブ６１０ａ、６１０ｂ自体の剛性も低くなっている。その結果、筐体内部の振動や外部からの衝撃を和らげ、また防水性能を向上させている。さらに緩衝リブ６１０ａ、６１０ｂは緩衝部材６００の外周に沿って形成されているため、ガイド壁７１２による位置の規制が容易になっている。なお、衝撃吸収性や組立性を鑑み、緩衝リブ６１０ａ、６１０ｂを緩衝部材６００の外周以外に追加配置してもよい。その場合、緩衝リブは細いリブ形状に限らず、複数の半球や円筒形状などで形成してもよい。
【００５１】
第１の薄肉部６０４は音孔７２２より集音された音波振動をマイクロホン７５０に伝播する。第２の薄肉部６０６は発光体３６０から発せられた光を透過させユーザーにカメラの電源や録画状態を知らせることができる。マイクロホン保持部６２０は内側に形成されている支持部６３０とアンダーカット部６４０によりマイクロホン７５０を包み込むように保持している。支持部６３０はマイクロホン７５０と薄肉部６０４の間に集音空間を設ける働きを持つとともに、マイクロホン７５０との接触面積を減らす役割を担っている。アンダーカット部６４０は中心にマイクワイヤ７７０を通す穴を有しており、マイクロホン７５０を緩衝部材６００に挿入するための穴も兼ねている。このようにマイクロホン７５０を支持することにより、筐体内外部の振動雑音がマイクロホン７５０に集音されることを防ぎ、またマイクロホン７５０を外部衝撃から守ることができる。なおマイクワイヤ７７０に振動が伝わるのを防ぐために、アンダーカット部６４０やワイヤ穴７１６にワイヤ把持部を形成してもよい。またアンダーカット部６４０にマイクロホン７５０との接触面積をさらに少なくするための形状を設けても良い。
【００５２】
なお、上述した実施形態において、筐体は２部品から構成されているが、３つもしくはそれ以上の部品から構成されていてもよい。また、上述した実施形態において、レンズ保護部材１０２は球形をしているが、非球面形状や平板形状などでもよい。また、上述した実施形態において、筐体の防水防塵手段としてパッキン１８０やＯ−リング１４０を用いたが、両面テープや接着材、シーリング材などを用いて防水防塵処理を施してもよい。
【００５３】
また、上述した実施形態において、レンズ保護部材１０２の固定方法はねじや別部品を用いて固定してもよい。また、アッパーケース１２０とレンズ保護部材１０２を超音波溶着などで接着することで、防水構造の確保および固定をしてもよい。
【００５４】
また、上述した実施形態において、制御基板２５０は１つであったが、カメラ制御用と電源管理用などの複数の基板構成であってもよい。また、上述した実施形態において、マイク基板２７０はフレキシブル基板などを用いて、ワイヤ２３０ｂを用いずに直接制御基板２５０に接続してもよい。
【００５５】
また、上述した実施形態において、マイク基板２７０の裏面にマイクロホン３５０と発光体３６０が配置されていたが、表面に配置されていてもよい。また、上述した実施形態において、マイクロホン３５０と発光体３６０はそれぞれ１つずつ用いていたが、集音のステレオ化や発光色を複数用意するために複数個用いてもよい。
【００５６】
また、上述した実施形態において、緩衝部材３００、５００はシリコンゴムで形成されていたが、ジエン系ゴムや熱可塑性エラストマーなど、他の弾性材料で形成してもよい。
【００５７】
また、上述した実施形態において、緩衝部材３００の開口部底面１２４と当接する部分に、防水防塵信頼性を向上させるために細いリブ形状を形成してもよい。さらに、緩衝部材３００と開口部底面１２４の間にテープ剤や接着剤などを介して開口部１２２を塞いでもよい。
【００５８】
また、上述した実施形態において、緩衝部材３００の位置を決めるために位置決め用穴３８０と基板保持部材１１０の突起１１２を用いたが、緩衝部材３００の外形を使用したり、位置決め用の治具を用いたりしてもよい。
【符号の説明】
【００５９】
１００  監視カメラ
１２０、４２０  アッパーケース
１５０  ボトムケース
１１０  基板保持部材
１０８  開口部
３００、５００、６００  緩衝部材
３３０、５０４  第１部分
３４０、５０６  第２部分
３５０  マイクロホン
３６０  発光体
【図１】
2018196109.tif 000003
【図２】
2018196109.tif 000004
【図３】
2018196109.tif 000005
【図４】
2018196109.tif 000006
【図５】
2018196109.tif 000007
【図６】
2018196109.tif 000008
【図７】
2018196109.tif 000009
【図８】
2018196109.tif 000010
【図９】
2018196109.tif 000011